(57)【要約】【課題】本発明は、手元スイッチを有していない医療用ハンドピースをフットコントローラを用いることなく駆動可能であり、滅菌処理も可能で衛生面にも優れる医療用ハンドピース用のスイッチ操作体を提供する。【解決手段】本発明は、滅菌可能な医療用ハンドピース２１用のスイッチ操作体１であって、医療用ハンドピース２１を着脱自在に保持可能なグリップ部３を備え、医療用ハンドピース２１の外周部に配置可能な操作体本体部２と、操作体本体部２により着脱可能にかつ回動可能に支持されるとともに、オン操作を行う滅菌可能な操作レバー５と、操作体本体部２に搭載した操作レバー５のオン操作に対応するオン信号を無線にて出力する無線通信モジュール１６と、を有するものである。【選択図】図１
2017070553.tif 000002
【特許請求の範囲】
【請求項１】
滅菌可能な医療用ハンドピース用のスイッチ操作体であって、
前記医療用ハンドピースを着脱自在に保持可能なグリップ部を備え、前記医療用ハンドピースの外周部に配置可能な操作体本体部と、
該操作体本体部により着脱可能にかつ回動可能に支持されるとともに、オン操作を行う滅菌可能な操作レバーと、
前記操作体本体部に搭載した前記操作レバーのオン操作に対応するオン信号を無線にて出力する無線送信手段と、
を有することを特徴とする医療用ハンドピース用のスイッチ操作体。
【請求項２】
前記無線送信手段は、ブルートゥース規格又は赤外線通信規格の無線通信モジュールを含んで構成されていることを特徴とする請求項１記載の医療用ハンドピース用のスイッチ操作体。
【請求項３】
滅菌可能な医療用ハンドピースであって、
前記医療用ハンドピースを着脱自在に保持可能なグリップ部を備え、前記医療用ハンドピースの外周部に配置可能な操作体本体部と、該操作体本体部により着脱可能にかつ回動可能に支持されるとともに、オン操作を行う滅菌可能な操作レバーと、前記操作体本体部に搭載した操作レバーのオン操作に対応するオン信号を無線にて出力する無線送信手段と、を有するスイッチ操作体を備えること、
を特徴とする医療用ハンドピース
【請求項４】
前記無線送信手段は、ブルートゥース規格又は赤外線通信規格の無線通信モジュールを含んで構成されていることを特徴とする請求項３記載の医療用ハンドピース。
【請求項５】
滅菌可能な医療用ハンドピースと、該医療用ハンドピースを駆動する駆動装置と、を備える医療用装置であって、
前記医療用ハンドピースは、該医療用ハンドピースを着脱自在に保持可能なグリップ部を備え、前記医療用ハンドピースの外周部に配置可能な操作体本体部と、該操作体本体部により着脱可能にかつ回動可能に支持されるとともに、オン操作を行う滅菌可能な操作レバーと、前記操作体本体部に搭載した操作レバーのオン操作に対応するオン信号を無線にて出力する無線送信手段と、を有するスイッチ操作体を備え、
前記駆動装置は、前記無線送信手段からのオン信号を受信する無線受信部と、受信したオン信号を基に前記医療用ハンドピースを駆動する駆動制御手段とを備えること、
を特徴とする医療用装置。
【請求項６】
前記無線送信手段は、ブルートゥース規格又は赤外線通信規格の無線通信モジュールを含んで構成されていることを特徴とする請求項５記載の医療用装置。
【請求項７】
前記駆動装置は医療用レーザ装置であり、前記医療用ハンドピースは医療用レーザ装置用のハンドピースであることを特徴とする請求項５又は６記載の医療用装置。
【発明の詳細な説明】
【技術分野】
【０００１】
本発明は、医療用ハンドピース用のスイッチ操作体、医療用ハンドピース及び医療用装置に関し、詳しくは、滅菌可能な医療用ハンドピース用であり無線通信機能を有するスイッチ操作体、該スイッチ操作体を備える医療用ハンドピース、及び、該医療用ハンドピースを備える医療用装置に関するものである。
【背景技術】
【０００２】
従来フットコントローラの操作で制御していた医療装置（例えばレーザ装置）では、フットコントローラを床に置いて使用する為、医療装置の移動時には、床置きのフットコントローラを持ち上げて移動しなければならず、移動作業に手間がかかり、床の汚れが医療装置や操作者の手を汚し非衛生的であった。
【０００３】
また、このような医療装置において、フットコントローラを操作しないで行う他の医療行為を実施する場合、フットコントローラは足元のスペースを妨げる障害物となり思わぬ事故の原因になりかねない。
【０００４】
さらに、別の医療機器が近くにあり、かつ、当該医療機器用のフットコントローラが近くに存在するような場合、間違えて別のフットコントローラを踏んでしまい、本来駆動制御すべきでない別の医療機器を動作させて不測の事態を招来するという危険性もあった。
【０００５】
一方、このような医療装置におけるハンドピースに直接フットコントローラに代わる手元スイッチを設けることも不可能ではないが、生体や口腔で使用するハンドピースは滅菌する必要があり、繰り返しの滅菌温度に耐えられる手元スイッチをハンドピース自体に設けることは困難であった。
【０００６】
特許文献１には、筐体内に内接されたレーザ発生機と、該筐体から突出するように設けられ、且つ前記レーザ発生機から出射されたレーザ光を被照射体に導光する光ファイバを含む導光手段と、前記筐体に立設され、前記導光手段を支持する剛性支持部材とを備え、筐体にレーザ発生機を動作させるフットスイッチをケーブル接続した医療レーザ装置が提案されている。
【０００７】
しかし、特許文献１の医療レーザ装置の場合、フットスイッチの誤操作による不測の事態の発生を回避することは難しい。
【０００８】
特許文献２には、ハンドピースの胴体部にレーザの発振・停止をコントロールする手元スイッチを複数個並列動作可能に設けたレーザハンドピースが提案されている。
【０００９】
しかし、特許文献２のレーザハンドピースの場合、手元スイッチに関して繰り返しの滅菌処理に対する対策は講じられていないものと推定される。
【先行技術文献】
【特許文献】
【００１０】
【特許文献１】特開平７−５１２８４号公報
【特許文献２】特開平９−３１３４９７公報
【発明の概要】
【発明が解決しようとする課題】
【００１１】
本発明は、手元スイッチを有していない医療用ハンドピースをフットコントローラを用いることなく駆動可能であり、滅菌処理も可能で衛生面にも優れる医療用ハンドピース用のスイッチ操作体を提供するものである。
【課題を解決するための手段】
【００１２】
本発明は、滅菌可能な医療用ハンドピース用のスイッチ操作体であって、前記医療用ハンドピースを着脱自在に保持可能なグリップ部を備え、前記医療用ハンドピースの外周部に配置可能な操作体本体部と、該操作体本体部により着脱可能にかつ回動可能に支持されるとともに、オン操作を行う滅菌可能な操作レバーと、前記操作体本体部に搭載した前記操作レバーのオン操作に対応するオン信号を無線にて出力する無線送信手段と、を有することを最も主要な特徴とする。
【発明の効果】
【００１３】
請求項１記載の発明によれば、手元スイッチを設けていない医療用ハンドピース用として広範に利用できるとともに、スイッチ操作体自体を滅菌し得る構成としているので、繰り返しの滅菌処理も可能であり常に衛生的に維持することができる医療用ハンドピース用のスイッチ操作体を提供することができる。
【００１４】
請求項２記載の発明によれば、請求項１記載の発明において、操作レバーのオン操作に対応するオン信号を無線にて出力する無線送信手段を、ブルートゥース規格又は赤外線通信規格の無線通信モジュールを含んで構成しているので、配線処理が不要となり、スイッチ操作体自体の小型軽量化、低価格化を図ることができる医療用ハンドピース用のスイッチ操作体を提供することができる。
【００１５】
請求項３記載の発明によれば、スイッチ操作体を手元スイッチとして機能させることができ、また、スイッチ操作体自体、医療用ハンドピース自体の双方を滅菌し得る構成としているので、繰り返しの滅菌処理も可能でありこれらを常に衛生的に維持することができる医療用ハンドピースを提供することができる。
【００１６】
請求項４記載の発明によれば、請求項３記載の発明と同様な効果を奏することに加えて、請求項２記載の発明の場合と同様に、配線処理が不要となり小型軽量化、低価格化を実現し得るスイッチ操作体を備える医療用ハンドピースを提供することができる。
【００１７】
請求項５記載の発明によれば、請求項３記載の発明に係る医療用ハンドピースを採用することにより、スイッチ操作体、医療用ハンドピースの双方を常に衛生的に維持することができるとともに、スイッチ操作体、駆動装置間の無線通信を利用してフットコントローラを使用することなく医療用ハンドピースを駆動することができ、誤操作による不測の事態を招来するという危険性を回避することができる医療用装置を提供することができる。
【００１８】
請求項６記載の発明によれば、請求項５記載の発明と同様な効果を奏するとともに、配線処理が不要となり小型軽量化、低価格化を実現し得るスイッチ操作体を備える医療用ハンドピースを駆動しての患部の治療等を実行し得る医療用装置を提供することができる。
請求項７記載の発明によれば、請求項５又は６記載の発明において、前記駆動装置は医療用レーザ装置であり、前記医療用ハンドピースは医療用レーザ装置用のハンドピースであることにより、誤操作を無くしつつ医療用ハンドピースからのレーザ光による患部の治療等を実行し得る医療用装置を提供することができる。
【図面の簡単な説明】
【００１９】
【図１】図１は本発明の実施例に係る医療用ハンドピース用のスイッチ操作体を示す概略斜視図である。
【図２】図２は本実施例に係るスイッチ操作体の医療用ハンドピースへの取り付け状態を示す概略斜視図である。
【図３】図３は本実施例に係るスイッチ操作体を医療用ハンドピースへ取り付ける際の各要素の分離配置状態を示す概略斜視図である。
【図４】図４は本実施例に係るスイッチ操作体の操作片、操作連動スイッチ、医療用ハンドピースの配置関係を示す概略説明図である。
【図５】図５は本実施例に係るスイッチ操作体を取り付けた医療用ハンドピースを備える医療用装置の概略斜視図である。
【図６】図６は本実施例に係るスイッチ操作体、レーザ装置本体の電気系、及び、医療用ハンドピースへのレーザ光伝送系を示す概略説明図である。
【発明を実施するための形態】
【００２０】
本発明は、手元スイッチを有していない医療用ハンドピースをフットコントローラを用いることなく駆動可能であり、滅菌処理も可能で衛生面にも優れる医療用ハンドピース用のスイッチ操作体を提供するという目的を、滅菌可能な医療用ハンドピース用のスイッチ操作体であって、前記医療用ハンドピースを着脱自在に保持可能なグリップ部を備え、前記医療用ハンドピースの外周部に配置可能な操作体本体部と、該操作体本体部により着脱可能にかつ回動可能に支持されるとともに、オン操作を行う滅菌可能な操作レバーと、前記操作体本体部に搭載した前記操作レバーのオン操作に対応するオン信号を無線にて出力するブルートゥース規格又は赤外線通信規格の無線送信手段と、を有する構成により実現した。
【実施例】
【００２１】
以下に本発明の実施例について図面を参照して詳細に説明する。
【００２２】
図１乃至図４を参照して本発明の実施例に係る医療用ハンドピース２１用のスイッチ操作体１、及び、該スイッチ操作体１を備える医療用ハンドピース２１について詳細に説明する。
【００２３】
本実施例においては、前記医療用ハンドピース２１として、患部にレーザ光を照射し、当該患部の切開、蒸散等を行うレーザハンドピースを採用するものである。
【００２４】
本実施例に係るスイッチ操作体１は、図１乃至図３に示すように、医療用ハンドピース２１の後端部の外周部分を挟み込み状態で保持可能であり、かつ、挟み込み状態の解除も可能な四角箱型状を呈するグリップ部３と、このグリップ部３と一体で、かつ、グリップ部３から先方に突出させた直方体状の載置部４とを備え、前記医療用ハンドピース２１の外周部にその長さ方向に沿って配置する操作体本体部２と、詳細は後述するが、滅菌可能な金属材からなる操作片１８を具備し、前記操作体本体部２により後端側が着脱可能に、かつ、回動可能に支持される操作レバー５と、を有している。
【００２５】
前記グリップ部３は、下面側に前記医療用ハンドピース２１の外周部を上側から挟み込む端面半円状の上挟み込み凹部８を形成するとともにその両側を後述する下ホルダ１２の一対の当接部１２ａと当接させる一対の当接部７ａとし、上面側に部品搭載用の平坦部９を形成した上ホルダ７と、この上ホルダ７の下側に対向配置する下ホルダ１２と、上ホルダ７の上側に配置する上蓋体１３とを有している。
【００２６】
前記下ホルダ１２は、略半円筒状に形成され前記医療用ハンドピース２１の外周部を下側から挟み込む下挟み込み凹部１０と、この下挟み込み凹部１０の両側に形成した前記上ホルダ７の当接部７ａに当接させる一対の当接部１２ａと、一対の当接部１２ａから各々上方に向けて突設され、前記一対の当接部７ａ内に設けた一対の受穴（図示せず）に各々弾性をもって着脱可能に嵌め込む一対の嵌め込み突起１１と、を具備している。
【００２７】
前記上蓋体１３は、下面側を開口した四角箱型状に形成され、前記上ホルダ７の上面側に配置して、この上ホルダ７の上面外周を隙間なく覆うように密着されるとともに内部に部品収容領域を具備している。
【００２８】
そして、前記上ホルダ７内の上面側でかつ上蓋体１３内の部品収容領域に、図３に示すように、電池載置板１４、電池１５、例えばブルートゥース（Bluetooth(登録商標））規格に準拠した無線信号を発信する無線送信手段を構成する無線通信モジュール１６を内蔵するように構成している。
【００２９】
前記電池１５としては、ボタン型の乾電池や充電可能な蓄電池等の例を挙げることができるが、特に限定するものではない。
【００３０】
また、前記無線通信モジュール１６としては、例えばIrDA DATA1.0：１ｍ、IrDA DATA1.1：１ｍ、IrDA DATA1.3：０．３ｍ、IrDA DATA1.4：１ｍ等の赤外線通信規格に準拠した構成とすることもできる。
【００３１】
前記載置部４には、例えばマイクロスイッチ等のような操作連動スイッチ１７を搭載している。
【００３２】
前記操作レバー５は、操作片１８と、この操作片１８の後部側で、かつ、長さ方向両側に下方に向けて形成した一対の折曲片１９と、一対の折曲片１９に各々形成した係止孔２０と、を具備している。
【００３３】
そして、前記操作レバー５の上片及び一対の折曲片１９を、前記載置部４の上部及び側壁部を覆いこむように配置し、前記載置部４の幅方向両側から側方に突設した一対の軸支ピン４ａに操作レバー５の一対の係止孔２０を係止することにより、前記操作レバー５は軸支ピン４ａにより軸支されつつ前記載置部４に対して回動可能に、従って、前記スイッチ操作体１を医療用ハンドピース２１に取り付けた際には、医療用ハンドピース２１に対して回動可能に支持されるように構成している。
【００３４】
また、前記操作レバー５の操作片１８は、前記スイッチ操作体１を医療用ハンドピース２１に取り付けた際には、図４に示すように、その先端１８ａの下面側を前記医療用ハンドピース２１の外周部から離れた位置に臨ませるとともに、前記載置部４の上方に位置する操作片１８の下面部分を前記載置部４に配置した操作連動スイッチ１７の近傍に臨ませるように構成している。
【００３５】
そして、図示しないが、前記操作レバー５と前記載置部４との間に前記操作レバー５を一定範囲で上方に付勢する付勢バネを配置し、前記操作レバー５の非操作時においては、前記操作片１８の下面側が前記操作連動スイッチ１７に接触しないように構成している。
【００３６】
次に、図５、図６を参照して本発明の実施例に係る医療用装置３１について説明する。
【００３７】
本実施例に係る医療用装置３１は、既述したスイッチ操作体１を着脱可能に取り付けた医療用ハンドピース２１と、医療用レーザ装置３２とにより構成している。
【００３８】
前記医療用レーザ装置３２は、図５に示すように、底部に床面走行用のキャスタ３３を取り付けたレーザ装置本体３４と、このレーザ装置本体３４に対して回動自在でかつ折り畳み可能に取り付けたマニピュレータ３５と、レーザ装置本体３４の上面の一部に配置した操作表示部３６と、レーザ装置本体３４に一端を接続し、他端に商用電源に接続するための接続プラグ３８を配置した電源接続ケーブル３７と、を有している。
【００３９】
そして、前記マニピュレータ３５の先端に、前記スイッチ操作体１を取り付けた医療用ハンドピース２１を接続し、レーザ装置本体３４内からマニピュレータ３５内を経て医療用ハンドピース２１に至るように配置した光ファイバ３９によって、医療用ハンドピース２１に患部治療用のレーザ光を供給するように構成している。尚、前記医療用レーザ装置３２においては、レーザ装置本体３４内にエア供給手段、水供給手段を設けて、エアや水を医療用ハンドピース２１に供給するようにしているが、これらについては図示、説明を省略する。
【００４０】
また、前記スイッチ操作体１と、医療用レーザ装置３２とは、図６に示す構成の基に無線信号の送受信を行うように構成している。
【００４１】
すなわち、前記スイッチ操作体１は、図４、図６に示すように、前記操作レバー５の操作片１８をオン操作し、前記操作連動スイッチ１７を押下してオン状態とすることにより、電池１５から前記無線通信モジュール１６に駆動電力が供給され、これにより、無線通信モジュール１６は操作レバー５のオン操作に対応するオン信号を無線にて発信する。
【００４２】
一方、前記レーザ装置本体３４には、図６に示すように、このレーザ装置本体３４の駆動及び制御を行う駆動制御手段４１と、前記無線通信モジュール１６からの無線によるオン信号を受信する例えばブルートゥース規格に準拠した無線受信部４２と、例えば炭酸ガスレーザ光、Ｈｅ−Ｎｅレーザ光等のレーザ光を発生するとともに、前記光ファイバ３９が接続されるレーザ光発生手段４３と、前記操作表示部３６と、を有する駆動制御系が搭載されている。
【００４３】
そして、前記無線受信部４２が、前記無線通信モジュール１６からのオン信号を受信すると、このオン信号を基に駆動制御手段４１が前記レーザ光発生手段４３を動作させ、レーザ光発生手段４３から前記光ファイバ３９を経て医療用ハンドピース２１にレーザ光を伝送し、医療用ハンドピース２１による患部の治療を実行可能とする。
【００４４】
以上説明した本実施例の医療用ハンドピース２１用のスイッチ操作体１によれば、医療用ハンドピース２１自体に手元スイッチを設けていない既存の医療用ハンドピース２１であっても、スイッチ操作体１を後付けで取り付けることによって、このスイッチ操作体１を手元スイッチとして機能させることができ、手元スイッチを設けていない医療用ハンドピース２１用として広範に利用できるとともに、スイッチ操作体１を滅菌し得る構成としているので、繰り返しの滅菌処理も可能であり常に衛生的に維持することができる。
【００４５】
前記スイッチ操作体１は、ブルートゥース規格又は赤外線通信規格に準拠した無線通信モジュール１６を含んで構成しているので、小型軽量で安価に構成できるという効果も奏する。
【００４６】
また、本実施例のスイッチ操作体１を備えた医療用ハンドピース２１によれば、医療用ハンドピース２１自体に滅菌処理が困難な駆動スイッチを設ける必要がなく、スイッチ操作体１を手元スイッチとして機能させることができ、また、スイッチ操作体１、医療用ハンドピース２１の双方を滅菌し得る構成としているので、繰り返しの滅菌処理も可能でありこれらを常に衛生的に維持することができる。
【００４７】
さらに、本実施例の医療用装置３１によれば、前記構成のスイッチ操作体１を備える医療用ハンドピース２１を採用することにより、スイッチ操作体１、医療用ハンドピース２１の双方を常に衛生的に維持することができるとともに、フットコントローラを使用することなく医療用ハンドピース２１を駆動することができ、誤操作による不測の事態を招来するという危険性を回避することができる。
【００４８】
さらにまた、前記スイッチ操作体１から医療用装置３１の一例である医療用レーザ装置３２へのオン信号の伝送を、ブルートゥース規格又は赤外線通信規格の無線通信により行うので、これらの間の電気配線を省略できる利点も存する。
【００４９】
加えて、医療用レーザ装置３２は、例えば歯科診療室において複数台列設されている歯科診療用ユニット間を移動して使用することが多いため、フットコントローラを使用する必要がないことは衛生面で極めて有益である。
【産業上の利用可能性】
【００５０】
本発明のスイッチ操作体は、上述したようなレーザハンドピースに適用する場合の他、手元スイッチを設けていないエアータービンハンドピースその他各種の医療用ハンドピースに適用するスイッチ操作体として広範に応用可能である。
【符号の説明】
【００５１】
１    スイッチ操作体
２    操作体本体部
３    グリップ部
４    載置部
４ａ  軸支ピン
５    操作レバー
７    上ホルダ
７ａ  当接部
８    凹部
９    平坦部
１０    凹部
１１    突起
１２    下ホルダ
１２ａ  当接部
１３    上蓋体
１４    電池載置板
１５    電池
１６    無線通信モジュール
１７    操作連動スイッチ
１８    操作片
１８ａ  先端
１９    折曲片
２０    係止孔
２１    医療用ハンドピース
３１    医療用装置
３２    医療用レーザ装置
３３    キャスタ
３４    レーザ装置本体
３５    マニピュレータ
３６    操作表示部
３７    電源接続ケーブル
３８    接続プラグ
３９    光ファイバ
４１    駆動制御手段
４２    無線受信部
４３    レーザ光発生手段
【図１】
2017070553.tif 000003
【図２】
2017070553.tif 000004
【図３】
2017070553.tif 000005
【図４】
2017070553.tif 000006
【図５】
2017070553.tif 000007
【図６】
2017070553.tif 000008